(57)【要約】【課題】設置面の形状や範囲、操作位置などの条件に関わらず適用することができ、操作部の変更が容易であり、意匠性や操作性に優れている。【解決手段】センサ機能を有するシート状のセンサシート２と、このセンサシート２の表面に貼り合せた意匠性を有する壁紙シート３と、を備え、センサシート２は、１枚のシート状の基板２１と、マトリクス状に配置される複数の圧電センサ２２と、複数の圧電センサ２２のそれぞれに接続されるトランジスタ２３と、平面視で圧電センサ２２の第１方向に配列される圧電センサ２２を接続するソース配線２４Ａ、及び第１方向に直交する第２方向に配列される圧電センサ２２を接続するゲート配線２４Ｂが互いに直交方向に配置された配線２４と、配線２４を介してトランジスタ２３を選択可能な選択回路部２５と、を備えた構成のプログラマブルシートを提供する。【選択図】図１
2017152323.tif 000002
【特許請求の範囲】
【請求項１】
センサ機能を有するシート状のセンサシートと、該センサシートの表面に貼り合せた意匠性を有する意匠シートと、を備えたプログラマブルシートであって、
前記センサシートは、
マトリクス状に配置される複数のセンサと、
該センサのそれぞれに接続される半導体スイッチと、
平面視で前記センサの第１方向に配列される前記センサを接続する第１配線、及び前記第１方向に直交する第２方向に配列される前記センサを接続する第２配線が互いに直交方向に配置された配線と、
前記配線を介して前記半導体スイッチを選択可能な選択回路部と、
を備え、
前記センサシートは、外部の回路と電気的に接続可能な接続端子を有していることを特徴とするプログラマブルシート。
【請求項２】
前記センサは、複数種類のものが設けられていることを特徴とする請求項１に記載のプログラマブルシート。
【請求項３】
前記センサシートには、前記センサに接続されて所定の機能を有するアクチュエータが配置されていることを特徴とする請求項１又は２に記載のプログラマブルシート。
【請求項４】
前記センサは、前記アクチュエータとして機能することを特徴とする請求項３に記載のプログラマブルシート。
【請求項５】
前記意匠シートの表面には、選択された前記センサに対応した特定の位置にスイッチ機能を有するマーク部が設けられていることを特徴とする請求項１乃至４のいずれか１項に記載のプログラマブルシート。
【請求項６】
前記意匠シートは、壁面として機能する壁紙シートであることを特徴とする請求項１乃至５のいずれか１項に記載のプログラマブルシート。
【請求項７】
前記センサは、固定入力と変化入力を検出することによって、前記センサに対する操作の種類が検出されることを特徴とする請求項１乃至６のいずれか１項に記載のプログラマブルシート。
【請求項８】
前記センサは、温度センサと有機ＥＬとをマトリクス状に配置して構成され、前記温度センサで設定温度以上の温度を検出したときに、前記有機ＥＬが発光する火災警報機能が設けられていることを特徴とする請求項１に記載のプログラマブルシート。
【請求項９】
前記センサは、温度センサと圧電素子によるスピーカとをマトリクス状に配置して構成され、前記温度センサで設定温度以上の温度を検出したときに前記スピーカで警報音が発生する火災警報機能が設けられていることを特徴とする請求項１に記載のプログラマブルシート。
【請求項１０】
前記センサは、スイッチ機能及び発光機能を有し、
前記意匠シートは、選択された位置の前記センサによって発光する照明として機能することを特徴とする請求項１に記載のプログラマブルシート。
【発明の詳細な説明】
【技術分野】
【０００１】
本発明は、例えば家の壁面に配して壁紙にセンサ機能をもたせることを可能としたプログラマブルシートに関する。
【背景技術】
【０００２】
従来、住宅内の壁面には多くのスイッチ等の操作インタフェースが設けられている。電気照明のスイッチを壁面に配置することは、人が出入りするほとんどすべての建築に必要となっており、これ以外にも空調制御機器、コミュニケーションのためのインターホン等の操作部が居室には設けられている。ところが、これらの表示機能を含む表示操作部には、制御対象となる設備との直接的または間接的な接続のための配線が必要となっている。そこで、このようなスイッチをワイヤレス化したものも知られている。
【０００３】
ところで、壁に照明機能を持たせるものとして、例えば特許文献１に示されるように、ＥＬパネルの全面に透過性の壁紙を配して壁面全体あるいは部分を照明として利用する技術が知られている。
特許文献１には、複数のＥＬ素子が格子状に配置された発光パネルと、複数の発光パネルを室内面に沿って固定する枠体と、発光パネルの表面に配設される透光性を有する壁紙用化粧シートと、ＥＬ素子を個別に点灯制御する制御部と、を備え、壁紙用化粧シートは枠体に固定された複数の発光パネルの表面に貼り付けられた構成の室内照明システムについて記載されている。
【先行技術文献】
【特許文献】
【０００４】
【特許文献１】特許第５５７５５６４号公報
【発明の概要】
【発明が解決しようとする課題】
【０００５】
しかしながら、上記特許文献１に示されるような壁照明では、以下のような問題があった。
すなわち、設置場所の問題は解決できるが、表示操作部毎の形状、操作方法、意匠が異なり柔軟に対応するためには規格化した製品になってしまう。本来、表示操作部は、使用者ごとに適切に設計され、また、使用状況が変化した場合には容易に変更できることが望ましいことから、その点で改善の余地があった。
また、壁に照明機能を持たせる構成としては、上述した特許文献１に記載のように、ＥＬパネルの全面に透過性の壁紙を配して壁面全体あるいは部分を照明として利用する技術があるが、操作部及び意匠性のあるシートと一体になったものはない。
【０００６】
本発明は、上述する問題点に鑑みてなされたもので、設置面の形状や範囲、操作位置などの条件に関わらず適用することができ、操作部の変更が容易であり、意匠性や操作性に優れたプログラマブルシートを提供することを目的とする。
【課題を解決するための手段】
【０００７】
上記目的を達成するため、本発明に係るプログラマブルシートは、センサ機能を有するシート状のセンサシートと、該センサシートの表面に貼り合せた意匠性を有する意匠シートと、を備えたプログラマブルシートであって、前記センサシートは、マトリクス状に配置される複数のセンサと、該センサのそれぞれに接続される半導体スイッチと、平面視で前記センサの第１方向に配列される前記センサを接続する第１配線、及び前記第１方向に直交する第２方向に配列される前記センサを接続する第２配線が互いに直交方向に配置された配線と、前記配線を介して前記半導体スイッチを選択可能な選択回路部と、を備え、前記センサシートは、外部の回路と電気的に接続可能な接続端子を有していることを特徴としている。
【０００８】
本発明では、複数の半導体スイッチを備えたセンサがマトリクス状に配置され、それぞれのセンサが第１配線と第２配線を介して選択回路部に接続されているので、選択回路部において任意の位置のセンサを選択して接続端子から外部の回路に接続するプログラミングを行うことができる。そして、このように構成されるセンサシートの表面に意匠シートが貼り合わされているので、意匠シートの表面のうちセンサに対応する位置をスイッチとして機能させることができる。そのため、本発明では、プログラマブルシートに意匠性をもたせることができるので、例えば家の内壁面に壁紙として設けることができ、しかもその意匠シートの任意の位置をスイッチとしてプログラミングできるため、優れた操作性と機能性をもたせることができる。また、操作部としてのスイッチの位置を容易に変更することも可能である。
さらに、本発明のプログラマブルシートは、フレキシブルなシート状に形成されるので、設置面の形状や範囲、操作位置などの条件に関わらず適用することができる。
【０００９】
また、本発明に係るプログラマブルシートは、前記センサは、複数種類のものが設けられていてもよい。
【００１０】
この場合には、例えば照明のＯＮ／ＯＦＦに使用するスイッチ機能としてのセンサや、温度センサ等、異なる複数種類のセンサを、用途に合わせて選択的にプログラミングして配置することができる。
【００１１】
また、本発明に係るプログラマブルシートは、前記センサシートには、前記センサに接続されて所定の機能を有するアクチュエータが配置されていることを特徴としてもよい。
さらに、本発明に係るプログラマブルシートは、前記センサは、前記アクチュエータとして機能することを特徴としてもよい。
【００１２】
この場合には、センサ自体にセンサ機能とアクチュエータとしての機能をもたせることができるので、センサとしてのスイッチがＯＮになった場合に、そのセンサ機能をアクチュエータの機能に切り替えることができる。
【００１３】
また、本発明に係るプログラマブルシートは、前記意匠シートの表面には、選択された前記センサに対応した特定の位置にスイッチ機能を有するマーク部が設けられていることが好ましい。
【００１４】
この場合には、意匠シートの表面にプログラムされたスイッチをマーク部で表示することができるので、スイッチの位置を一目で確認することができ、かつスイッチの機能に対応した意匠となるマーク部を表示することができる。そのため、意匠シートに対してタッチする等が必要な場合には、このマーク部を目印にして操作することができる。
しかも、マーク部は意匠シートに設けるものであるため、家庭用の印刷等でも簡単にマーク部を印刷することも可能である。
【００１５】
また、本発明に係るプログラマブルシートは、前記意匠シートは、壁面として機能する壁紙シートであることを特徴とすることができる。
【００１６】
この場合には、家などの建物の内外壁、床面、天井面、或いは柱などの壁面をスイッチとして機能させることができる。
【００１７】
また、本発明に係るプログラマブルシートは、前記センサは、固定入力と変化入力を検出することによって、前記センサに対する操作の種類が検出されることを特徴としてもよい。
【００１８】
この場合には、センサに対応する箇所の意匠シートのスイッチに対して、例えばタッチだけの固定入力と、スイッチ部分をなぞるような変化入力と、を検出し、入力による操作の違いによって出力を変えることができる。
【００１９】
また、本発明に係るプログラマブルシートは、前記センサは、温度センサと有機ＥＬとをマトリクス状に配置して構成され、前記温度センサで設定温度以上の温度を検出したときに、前記有機ＥＬが発光する火災警報機能が設けられていることを特徴としてもよい。
【００２０】
この場合には、温度センサを意匠シートの任意の位置に選択回路部によって選択してセンサ位置をプログラミングすることができるので、温度を検出したい特定の位置において温度を検出することができる。そして、温度センサで設定温度以上の温度を検出したときに、有機ＥＬを発光させることができる。また、有機ＥＬについても、発光させたい位置に対応する特定の位置を選択回路部によって選択してプログラミングすることができる。
【００２１】
また、本発明に係るプログラマブルシートは、前記センサは、温度センサと圧電素子によるスピーカとをマトリクス状に配置して構成され、前記温度センサで設定温度以上の温度を検出したときに前記スピーカで警報音が発生する火災警報機能が設けられていることを特徴としてもよい。
【００２２】
この場合には、温度センサを意匠シートの任意の位置に選択回路部によって選択してセンサ位置をプログラミングすることができるので、温度を検出したい特定の位置において温度を検出することができる。そして、温度センサで設定温度以上の温度を検出したときに、スピーカで警報音を発生させることができる。また、スピーカについても、警報音は発生させたい位置に対応する特定の位置を選択回路部によって選択してプログラミングすることができる。
【００２３】
また、本発明に係るプログラマブルシートは、前記センサは、スイッチ機能及び発光機能を有し、前記意匠シートは、選択された位置の前記センサによって発光する照明として機能することを特徴とする構成であってもよい。
【００２４】
この場合には、選択されたセンサに対応した意匠シートのスイッチ部をタッチ操作することで、センサがＯＮになるとともに、そのセンサ自体が発光するため、意匠シートにおいて照明として機能させることができる。
【発明の効果】
【００２５】
本発明のプログラマブルシートによれば、設置面の形状や範囲、操作位置などの条件に関わらず適用することができ、操作部の変更が容易であり、意匠性や操作性に優れている利点がある。
【図面の簡単な説明】
【００２６】
【図１】本発明の実施の形態によるセンサシートを備えた壁紙の構成を示した平面図であって、壁紙シート３を二点鎖線で示した図である。
【図２】壁紙の壁紙シートの表面を示す平面図である。
【図３】図２に示すＡ−Ａ線断面図であって、壁紙の一部を示す側断面図である。
【発明を実施するための形態】
【００２７】
以下、本発明の実施の形態によるプログラマブルシートについて、図面に基づいて説明する。
【００２８】
図１及び図２に示すように、本実施の形態によるプログラマブルシートは、家の部屋における壁面に配される壁紙１に適用されている。
壁紙１は、センサ機能を有するシート状のセンサシート２と、このセンサシート２の表面に貼り合せた意匠性を有する壁紙シート３（意匠シート）と、を備えている。
【００２９】
センサシート２は、図１に示すように、１枚のシート状の基板２１と、マトリクス状に配置される複数の圧電センサ２２、２２、…と、複数の圧電センサ２２のそれぞれに接続されるトランジスタ２３（半導体スイッチ）と、平面視で圧電センサ２２の第１方向（図１で左右方向）に配列される圧電センサ２２、２２、…を接続するソース配線２４Ａ（第１配線）、及び前記第１方向に直交する第２方向（図１で上下方向）に配列される圧電センサ２２、２２、…を接続するゲート配線２４Ｂ（第２配線）が互いに直交方向に配置された配線２４と、配線２４を介してトランジスタ２３を選択可能な選択回路部２５と、を備えている。
【００３０】
また、センサシート２は、外部回路４と電気的に接続可能な接続端子２６を有している。
接続端子２６は、無線機能を有するもので、ＬＡＮ配線に接続可能であってもよい。そして、接続端子２６に接続される通信線を部屋の廻縁内に収納するようにしてもよく、この場合には意匠的な点で好ましい。あるいは、内壁面と天井面のセンサシート２を廻縁内に内蔵される通信線を介して接続するようにして、一部屋分を一体的に制御することも可能である。
【００３１】
トランジスタ２３及び配線２４は、平面視で圧電センサ２２が配置されていない位置に配置されている。圧電センサ２２を配置する位置にある圧電層の感度より、それ以外の場所の感度を極端に小さくすることにより、トランジスタ２３及び配線２４にノイズを与えることなく、シート前面にセンサを構成する製造方法でも、効果的にセンサアレーが構成できる。
【００３２】
センサシート２は、一枚の基板２１の一面に圧電センサ２２が配設されていると共に、基板２１の他面には圧電センサ２２の電位を測定するための基準電極となるグランド電極（図示省略）が配設されている。
【００３３】
基板２１としては、外力が加えられることによって表面に電荷を発生させることができるシート（圧電現象を有するシート）であれば、特に限定されないが、脈波などの微弱な生体信号を精度良く検出でき、感度が高く、厚み方向の変形で電荷を発生しやすいことから、合成樹脂シート（合成樹脂発泡シート又は合成樹脂非発泡シート）に分極を付与した圧電シートが好ましく、合成樹脂発泡シートに分極を付与した圧電シートがより好ましく、ポリオレフィン系樹脂を含む合成樹脂発泡シートに分極を付与した圧電シートが特に好ましい。なお、合成樹脂シートを構成する合成樹脂としては、特に限定されず、例えば、ポリエチレン系樹脂、ポリプロピレン系樹脂などのポリオレフィン系樹脂、ポリフッ化ビニリデン、ポリ乳酸、液晶樹脂などが挙げられ、ポリオレフィン系樹脂が好ましい。
【００３４】
圧電センサ２２としては、導電性を有していれば、とくに限定されず、例えば、銅箔、アルミニウム箔などの金属シート、導電性膜などが挙げられる。
圧電センサ２２を導電性膜で構成する場合、基板２１の一面に汎用の印刷方法を用いて直接形成してもよいが、導電性膜は、通常、電気絶縁シート上に形成された上で、基板２１の一面上に電気絶縁シートを導電性膜が基板２１側となった状態で配設一体化されることが好ましい。基板２１又は電気絶縁シート上に導電性膜を形成する方法としては、例えば、（１）基板２１又は電気絶縁シート上に、バインダー中に導電性微粒子を含有させてなる導電ペーストを塗布、乾燥させる方法、（２）基板２１又は電気絶縁シート上に蒸着によって電極を形成する方法、（３）電気絶縁シートに接着剤などを用いて金属箔を積層一体化させた後、金属箔の不要部分をエッチング法によって除去して電極を形成する方法などが挙げられる。
【００３５】
電気絶縁シートとしては、電気絶縁性を有していれば、特に限定されず、例えば、ポリエチレンテレフタレートシート、ポリエチレンナフタレートシート、ポリ塩化ビニルシートなどが挙げられる。
【００３６】
ソース配線２４Ａ及びゲート配線２４Ｂは、互いに電気的に接続することなく、独立した状態となっている。これら配線２４は、導電性を有していれば、特に限定されず、例えば、銅箔、アルミニウム箔などの金属シート、導電性膜などが挙げられる。
【００３７】
壁紙シート３の表面３ａには、図２に示すように、選択された圧電センサ２２に対応した特定の位置にスイッチ機能を有するマーク部３１、３２が設けられている。図３に示す第１マーク部３１は、３Ｄプリンタ等によって壁紙シート３の圧電センサ２２に対応した位置に立体的な形状を形成されたものであって、例えば照明スイッチをイメージして形成されている。また、図２に示す第２マーク部３２は、壁紙シート３の表面３ａにタッチする位置を枠線で表示したものである。
【００３８】
本実施の形態の壁紙１のセンサシート２として、例えば照明のスイッチの機能をもたせたものとした場合、例えば玄関壁面に設けることができる。この場合、図１に示すように、壁紙１の接続端子２６を予め外部回路に接続しておき、玄関に配設されている所定の照明をセンサシート２の圧電センサ２２によってＯＮ／ＯＦＦできるように設定されている。壁紙１を使用した照明のＯＮ／ＯＦＦ操作を行う場合には、壁紙シート３の表面３ａに形成される所定の位置をタッチする。具体的に、壁紙シート３の任意の位置をスイッチ部とする場合には、選択回路部２５において、すべての圧電センサ２２を選択することにより、すべての圧電センサ２２をスイッチとして設定することができる。つまり、この場合には、壁紙シート３のどこの位置をタッチしても照明がＯＮ／ＯＦＦできるように構成できる。
【００３９】
また、壁紙シート３のうちスイッチの位置を特定にしたい場合には、複数の圧電センサ２２のうち壁紙シート３の特定する位置に対応する圧電センサ２２を選択回路部２５により選択することにより、壁紙シート３におけるスイッチの位置を設定することができる。そして、図２に示すように、特定したスイッチの位置にはプレートを印刷したフィルムを貼り、その位置のパターン形状に反応するように予め設定しておけば、その位置がスイッチになり、位置の変更や、大きさ、意匠を任意に設定することができる。なお、これらのプレートは、家庭用のプリンタ等によって簡単に所望の意匠を作成することができる。
【００４０】
次に、上述した壁紙１（プログラマブルシート）の作用について図面を用いて詳細に説明する。
図１乃至図３に示すように、本実施の形態では、複数のトランジスタ２３を備えた圧電センサ２２がマトリクス状に配置され、それぞれの圧電センサ２２がソース配線２４Ａとゲート配線２４Ｂを介して選択回路部２５に接続されているので、選択回路部２５において任意の位置の圧電センサ２２を選択して接続端子２６から外部回路４に接続するプログラミングを行うことができる。そして、このように構成されるセンサシート２の表面に壁紙シート３が貼り合わされているので、壁紙シート３の表面３ａのうち圧電センサ２２に対応する位置をスイッチとして機能させることができる。
【００４１】
そのため、本実施の形態では、壁紙１に意匠性をもたせることができるので、例えば家の内壁面に壁紙として設けることができ、しかもその壁紙シート３の任意の位置をスイッチとしてプログラミングできるため、優れた操作性と機能性をもたせることができる。また、操作部としてのスイッチの位置を容易に変更することも可能である。
さらに、本実施の形態の壁紙１は、フレキシブルなシート状に形成されるので、設置面の形状や範囲、操作位置などの条件に関わらず適用することができる。
【００４２】
また、本実施の形態では、壁紙シート３の表面３ａにプログラムされたスイッチをマーク部３１、３２で表示することができるので、スイッチの位置を一目で確認することができ、かつスイッチの機能に対応した意匠となるマーク部３１、３２を表示することができる。そのため、壁紙シート３に対してタッチする等が必要な場合には、このマーク部３１、３２を目印にして操作することができる。
しかも、マーク部３１、３２は壁紙シート３に設けるものであるため、家庭用の印刷等でも簡単にマーク部３１、３２を印刷することも可能である。
【００４３】
なお、本実施の形態では、圧電センサ２２の検出と、圧電センサ２２に対して交流電圧をかけて振動させる動作を交互に行う構成にしておくことで、操作入力があった場合に反応をフィードバックすることも可能である。つまり、一つのスイッチでＯＮ／ＯＦＦがわかりにくいという問題点を回避するために、ＯＮとＯＦＦで反応周波数、または周波数パターンを切り替えることが有効である。
【００４４】
上述のように本実施の形態によるプログラマブルシートでは、設置面の形状や範囲、操作位置などの条件に関わらず適用することができ、操作部の変更が容易であり、意匠性や操作性に優れている。
【００４５】
以上、本発明によるプログラマブルシートの実施の形態について説明したが、本発明は上記の実施の形態に限定されるものではなく、その趣旨を逸脱しない範囲で適宜変更可能である。
【００４６】
例えば、上述した実施の形態では、意匠シートとして壁紙（壁紙シート３）としているが、これに限定されることはない。意匠シートは、壁紙以外にも、ドアパネル用の化粧シート、テーブル用の化粧シート、床用の化粧シートにも適用できる。また、屋根パネル用のシートに適用することもでき、この場合、雨や空気質等の環境センシングにも適用できる。さらに、意匠シートをロールスクリーンの形態にすることにより、必要な時に必要な場所で機能を実現することができる。さらにまた、意匠シートをテーブルクロスの形態にすることもでき、会議用に使用する場合は、個人ごとの投票用スイッチを構成する等の利用法があり、食事用に使用する際には、食器の形状による種別の検知とともに重量を検知することにより、飲み物が無くなっていることを検知したり、食事の進行状況の確認にも利用することができる。
【００４７】
また、上述した実施の形態では、センサとして圧電センサ２２を用いているが、これに限定されることはない。例えば、圧力センサ、温度センサ、光センサ、歪センサ、磁気センサ、キャパシタ、ケミカル（生体反応）センサ等を採用することが可能のである。
そして、センサは、複数種類のものが設けられていてもよい。例えば照明のＯＮ／ＯＦＦに使用するスイッチ機能としてのセンサや、温度センサ等、異なる複数種類のセンサを、用途に合わせて選択的にプログラミングして配置することができる。
【００４８】
また、センサに接続されて所定の機能を有するアクチュエータが配置されていてもよいし、センサ自体がアクチュエータとして機能させるようにしてもよい。この場合には、センサ自体にセンサ機能とアクチュエータとしての機能をもたせることができるので、センサとしてのスイッチがＯＮになった場合に、そのセンサ機能をアクチュエータの機能に切り替えることができる。
具体的なプログラマブルシートとして、感圧素子で圧力を検知して、１〜１０００Ｈｚの周波数の電圧をかけて、触感として応答をするものや、５００〜２０ｋＨｚの周波数で音として応答するもの、等を採用することができる。さらに、赤外領域から可視領域に感度のあるフォトダイオードで表面を触った時の温度変化により触れたことを検知して、発光して応答するような機能をもたせることができる。
【００４９】
また、センサとしては、固定入力と変化入力を検出することによって、前記センサに対する操作の種類が検出されるものであってもよい。この場合には、センサに対応する箇所の意匠シートのスイッチに対して、例えばタッチだけの固定入力と、スイッチ部分をなぞるような変化入力とを検出し、入力による操作の違いによって出力を変えることができる。
【００５０】
また、センサとして温度センサと有機ＥＬとをマトリクス状に配置して構成され、この温度センサで設定温度以上の温度を検出したときに、前記有機ＥＬが発光する火災警報機能が設けられるものであってもよい。
この場合には、温度センサを意匠シートの任意の位置に選択回路部によって選択してセンサ位置をプログラミングすることができるので、温度を検出したい特定の位置において温度を検出することができる。そして、温度センサで設定温度以上の温度を検出したときに、有機ＥＬを発光させることができる。また、有機ＥＬについても、発光させたい位置に対応する特定の位置を選択回路部によって選択してプログラミングすることができる。
【００５１】
さらに、センサとして温度センサと圧電素子によるスピーカとをマトリクス状に配置して構成され、この温度センサで設定温度以上の温度を検出したときに前記スピーカで警報音が発生する火災警報機能が設けられるものであってもよい。
この場合には、温度センサを意匠シートの任意の位置に選択回路部によって選択してセンサ位置をプログラミングすることができるので、温度を検出したい特定の位置において温度を検出することができる。そして、温度センサで設定温度以上の温度を検出したときに、スピーカで警報音を発生させることができる。また、スピーカについても、警報音は発生させたい位置に対応する特定の位置を選択回路部によって選択してプログラミングすることができる。
なお、音声としては、可聴域であっても、可聴域の周波数で変調した超音波であるものでもよい。とくに、超音波は指向性に優れるため、寝室の天井に張り付けることにより非常時に寝ている人を起こすのに好適である。
【００５２】
さらにまた、意匠シートに対して接触する操作ではなく、赤外線、または超音波による人の動きを検知するものであっても良い。そして、検知した場合に、例えば発光素子を光らせたり、発音素子が発振する出力とすることが可能である。この場合には、体動を検知して、眠りが浅くなったところで、起こす目覚まし機能を持った壁紙を構成するものも適用することができる。
【００５３】
また、センサがスイッチ機能及び発光機能を有するもので、意匠シートが選択された位置のセンサによって発光する照明として機能するものであってもよい。この場合には、選択されたセンサに対応した意匠シートのスイッチ部をタッチ操作することで、センサがＯＮになるとともに、そのセンサ自体が発光するため、意匠シートにおいて照明として機能させることができる。
【００５４】
また、上述した実施の形態では、操作入力の対象や、操作内容が固定であったが、凹凸の印刷を有するパターンを持つ印刷プレートを貼ることにより、このパターンからプレートの種類を判別するような構成とすることも可能である。
【００５５】
また、上述した実施の形態では、フレキシブルシートを設ける適用箇所として家の壁面を対象としているが、この箇所であることに限定されることはない。例えば、家などの建物であっても内外壁の他に、床面、天井面、柱、扉、窓、建具の一部などに配置することが可能であり、また被設置面の形状、位置、面積等の条件もとくに制限されることはない。例えば、フレキシブルシートがシート状であるので、曲面や凹凸面に対しても設置することができる。
さらに、壁面に配置する以外の用途も可能である。例えば、ドアプレート用の意匠とすることで、圧電素子を超音波発振器と受信器として使用して人を検知する用途として使用することができる。また、例えば特定の位置に手の平で触れる等、一定の圧力パターンを入力することによって、キー操作が可能となるようなセキュリティの用途にも適用することができる。
【００５６】
その他、本発明の趣旨を逸脱しない範囲で、上記した実施の形態における構成要素を周知の構成要素に置き換えることは適宜可能である。
【符号の説明】
【００５７】
１  壁紙（プログラマブルシート）
２  センサシート
３  壁紙シート（意匠シート）
３ａ  表面
２１  基板
２２  圧電センサ（センサ）
２３  トランジスタ（半導体スイッチ）
２４  配線
２４Ａ  ソース配線（第１配線）
２４Ｂ  ゲート配線（第２配線）
２５  選択回路部
２６  接続端子
３１  第１マーク部
３２  第２マーク部
【図１】
2017152323.tif 000003
【図２】
2017152323.tif 000004
【図３】
2017152323.tif 000005